(57)【要約】【課題】回転ドラム上のロータリトランスから引出された信号用フレキシブル基板がシャーシ壁と接触してその反力が回転ヘッドドラム装置に対して作用し、トラックの直線性を変化させて互換性の問題を発生させるのを防止する。【解決手段】回転ドラム２６上に設けられている合成樹脂製のキャップ３３の外周部にガイド６８を設け、さらにこのガイド６８に押えアーム３９を連設し、信号用フレキシブル基板３８の引出し部６７を上記ガイド６８と押えアーム３９との間のスリットに挿入して押える。【選択図】　図３
2004079016.tif 000002
【特許請求の範囲】
【請求項１】
ヘッドを有する回転ドラムと固定ドラムとを同軸上に配し、前記回転ドラムと前記固定ドラムの外周部に巻装されたテープ状記録媒体に前記ヘッドを対接させて記録および／または再生を行なうようにした記録再生装置において、
前記回転ドラムに対して軸線方向において前記固定ドラムとは反対側に位置するように前記回転ドラム上にキャップを設け、しかも該キャップの外周側に押えを有するガイドを設け、前記キャップの内部から引出された配線手段を前記押えによって前記ガイドに押当てるようにしたことを特徴とする回転ヘッドドラム装置。
【請求項２】
前記キャップが合成樹脂成形体から構成され、前記ガイドおよび押えが一体に連設されていることを特徴とする請求項１に記載の回転ヘッドドラム装置。
【請求項３】
前記配線手段が記録信号または再生信号を電送する信号用フレキシブル基板であって、前記キャップの内部に配されたロータリトランスのステータと接続されることを特徴とする請求項１に記載の回転ヘッドドラム装置。
【請求項４】
前記配線手段が前記ガイドおよび前記押えによって前記回転ドラムおよび前記固定ドラムの外周面上を軸線方向下方に延びるように案内されることを特徴とする請求項１に記載の回転ヘッドドラム装置。
【請求項５】
前記配線手段が前記ガイドおよび前記押えによって背面側のシャーシの内表面に沿って案内されることを特徴とする請求項１に記載の回転ヘッドドラム装置。
【請求項６】
ヘッドを有する回転ドラムと固定ドラムとを同軸上に配し、前記回転ドラムと前記固定ドラムの外周部に巻装されたテープ状記録媒体に前記ヘッドを対接させて記録および／または再生を行なうようにした記録再生装置において、
前記回転ドラムに対して軸線方向において前記固定ドラムとは反対側に位置するように前記回転ドラム上にキャップを設け、しかも該キャップの外周側に前記回転ドラムの外周面よりも外周側に突出する突部を設けたことを特徴とする回転ヘッドドラム装置。
【請求項７】
前記キャップが合成樹脂の成形体から構成され、前記突部が一体に連設されていることを特徴とする請求項６に記載の回転ヘッドドラム装置。
【請求項８】
前記突部が前記テープ状記録媒体をローディングするテープガイドの移動経路に臨んで形成され、前記テープガイドが前記回転ドラムに接触するのを防止することを特徴とする請求項６に記載の回転ヘッドドラム装置。
【発明の詳細な説明】
【０００１】
【発明の属する技術分野】
本発明は回転ヘッドドラム装置に係り、とくにヘッドを有する回転ドラムと固定ドラムとを同軸上に配し、回転ドラムと固定ドラムの外周面に巻装されたテープ状記録媒体にヘッドを対接させて記録および／または再生を行なうようにした記録再生装置に関する。
【０００２】
【従来の技術】
ＶＴＲに代表されるヘリカルスキャン方式の磁気記録再生装置は、磁気ヘッドを備える回転ドラムと固定ドラムとを同軸上に配し、これらのドラムの外周部に斜めに磁気テープを巻付けて所定の速度で走行させる。そして回転ドラムを高速で回転させることによって磁気ヘッドを磁気テープ上を斜めに走査させ、ヘリカルスキャン方式の記録再生を達成する。
【０００３】
回転ドラムに設けられている磁気ヘッドのコイルに信号電流を通ずると、磁気誘導の原理によって磁気テープ上に信号電流に応じた強弱の磁気記録がなされる。また予め磁気記録がなされたテープ上を回転ヘッドを走査させると、磁気ヘッドのコイル上に電磁誘導の原理によって記録信号に応じた電流を取出すことが可能になる。
【０００４】
【発明が解決しようとする課題】
このようにヘリカルスキャン方式の回転ヘッドドラム装置は、回転ドラムに設けられている磁気ヘッドを回転させながら所定の速度で走行する磁気テープと対接させて所定の記録および／または再生を行なうものである。ここで回転する磁気ヘッドと固定側の記録再生回路との間で記録再生信号を授受する必要があり、このために例えばロータリトランスが設けられる。ロータリトランスは回転ドラムの上部に設けられたロータと、この回転ドラムの上部に配されたキャップの内側に設けられたステータとによって磁気接合を介して回転側と固定側との間で信号の授受を行なうものである。
【０００５】
そして上述のようなロータリトランスのステータ側にはフレキシブル基板から成る配線手段が接続され、このフレキシブル基板を介して固定側の回路との間での信号の電送を行なうようにしている。
【０００６】
一般にフレキシブル基板は柔軟であるものの、所定の弾性率および剛性を有し、このために回転ヘッドドラムの上部から引出されたフレキシブル基板がシャーシ等に当接すると、その反力が回転ヘッドドラム装置のとくに回転ドラムに伝達されて回転ヘッドドラム装置の傾斜角が変化し、これによって磁気テープ上に形成されるトラックの直線性が変化して互換性に問題を生ずる可能性がある。とくに回転ヘッドドラム装置が小型化されるとともに、その重量が小さくなるとこの傾向が顕著になる。このようなことから、フレキシブル基板が引出される回転ヘッドドラム装置をシャーシの壁面に近接させることができず、これによって高密度にシャーシ上に回転ヘッドドラム装置を組込むことができない問題があった。このような理由によって回転ヘッドドラム装置を組込んだＶＴＲの小型化が妨げられることになる。
【０００７】
また回転ヘッドドラム装置の外周側にはテープガイドが移動部材によって移動されるようになっており、このような移動部材によって磁気テープを回転ヘッドドラム装置の外周面上にローディングしている。ここでＶＴＲの小型化を図るとテープガイドが回転ヘッドドラムの外周面に極めて近接した位置を通過することになり、例えばテープ状記録媒体に大きな力が加わるとテープガイドが変形して回転ドラムの外周面に接触する等の問題を生ずる可能性がある。
【０００８】
本発明はこのような問題点に鑑みてなされたものであって、引出されたフレキシブル基板等の配線手段がシャーシの壁面等の部材に当ることによるトラックの直線性の変化の問題を回避し、あるいはまたテープ状記録媒体のローディング時におけるテープガイドの回転ドラムとの干渉をより確実に阻止するようにした回転ヘッドドラム装置を提供することを目的とする。
【０００９】
【課題を解決するための手段】
本願の主要な発明は、
ヘッドを有する回転ドラムと固定ドラムとを同軸上に配し、前記回転ドラムと前記固定ドラムの外周部に巻装されたテープ状記録媒体に前記ヘッドを対接させて記録および／または再生を行なうようにした記録再生装置において、
前記回転ドラムに対して軸線方向において前記固定ドラムとは反対側に位置するように前記回転ドラム上にキャップを設け、しかも該キャップの外周側に押えを有するガイドを設け、前記キャップの内部から引出された配線手段を前記押えによって前記ガイドに押当てるようにしたことを特徴とする回転ヘッドドラム装置に関するものである。
【００１０】
ここで前記キャップが合成樹脂成形体から構成され、前記ガイドおよび押えが一体に連設されていてよい。また前記配線手段が記録信号または再生信号を電送する信号用フレキシブル基板であって、前記キャップの内部に配されたロータリトランスのステータと接続されるものであることが好ましい。また前記配線手段が前記ガイドおよび前記押えによって前記回転ドラムおよび前記固定ドラムの外周面上を軸線方向下方に延びるように案内されることが好適である。また前記配線手段が前記ガイドおよび前記押えによって背面側のシャーシの内表面に沿って案内されることが好適である。
【００１１】
本願の別の主要な発明は、
ヘッドを有する回転ドラムと固定ドラムとを同軸上に配し、前記回転ドラムと前記固定ドラムの外周部に巻装されたテープ状記録媒体に前記ヘッドを対接させて記録および／または再生を行なうようにした記録再生装置において、
前記回転ドラムに対して軸線方向において前記固定ドラムとは反対側に位置するように前記回転ドラム上にキャップを設け、しかも該キャップの外周側に前記回転ドラムの外周面よりも外周側に突出する突部を設けたことを特徴とする回転ヘッドドラム装置に関するものである。
【００１２】
ここで前記キャップが合成樹脂の成形体から構成され、前記突部が一体に連設されていてよい。また前記突部が前記テープ状記録媒体をローディングするテープガイドの移動経路に臨んで形成され、前記テープガイドが前記回転ドラムに接触するのを防止するのが好ましい。
【００１３】
本願に含まれる発明の好ましい態様は、ヘッドを有する回転ドラムと固定ドラムとを有する回転ヘッドドラム装置において、上記回転ドラムの上部に取付けられている合成樹脂製のキャップに信号用フレキシブル基板を案内するガイドを設けるとともに、このガイドに対して上記フレキシブル基板を押える押えアームを連設し、これによってフレキシブル基板の引出し位置を規制することによって、とくに信号用フレキシブル基板がシャーシの壁面等と干渉することを防止するようにしたものである。このような構成によれば、キャップの内部から引出される信号用フレキシブル基板がシャーシの壁面に当接し、その反力で回転ヘッドドラム装置の傾斜角が変化してヘッドがテープ状記録媒体の上に形成するトラックの直線性を変化させて互換性の問題を生ずることを未然に防止することができ、シャーシの壁面に極めて近接して回転ヘッドドラム装置を配置することが可能になる。
【００１４】
本願の別の好ましい態様は、ヘッドを有する回転ドラムと固定ドラムとから成る回転ヘッドドラム装置において、上記回転ドラムの上部に合成樹脂製のキャップを設けるようにし、しかもこのキャップの外周部に回転ドラムの外周よりも外周側に突出した突部を設けるようにし、テープローディング時にテープガイドが回転ヘッドドラム装置の外周面すれすれに移動しても、上記テープガイドが回転ドラムやヘッドと接触しないようにしたものである。これによってＶＴＲのテープローディング装置を回転ヘッドドラム装置に近接して配置することが可能になり、よりコンパクトなＶＴＲが提供される。
【００１５】
【発明の実施の形態】
以下本発明を図示の実施の形態によって説明する。図１および図２は本実施の形態に係るＶＴＲ用の回転ヘッドドラム装置の全体の概略の構成を示しており、この回転ヘッドドラム装置はとくに図２に示すように、固定ドラム２５と回転ドラム２６とを組合わせて構成されている。これらのドラム２５、２６を貫通するように支軸２７が配され、この支軸２７の下端側の部分が固定ドラム２５の中心部に形成された挿入孔２８に圧入固定されている。そして上記支軸２７によって上下一対のボールベアリング２９、３０を介して回転ドラム２６が回転自在に支持されている。なおボールベアリング２９、３０間には予圧ばね３１が介装され、これによって一対のボールベアリング２９、３０の外輪は互いに離間する方向に付勢されている。
【００１６】
上記回転ドラム２６の上部にはキャップ３３が配されている。すなわち上記回転ドラム２６の上部に突出する支軸２７の上端部に取付け用ボス３４が固着され、この取付け用ボス３４によってキャップ３３が支持されている。そしてキャップ３３の内側にロータリトランス３５が配されている。ロータリトランス３５はステータ３６とロータ３７とから構成され、ステータ３６がキャップ３３の下面に取付け保持されている。これに対してロータ３７は回転ドラム２６の上部に支持されている。そしてロータリトランス３５のステータ３６には信号用フレキシブル基板３８が接続され、この信号用フレキシブル基板３８がキャップ３３の外側に引出されるとともに、押えアーム３９によって図６に示すようにガイド６８に対して押えられている。
【００１７】
回転ドラム２６の下端側であってその外周部には図２および図３に示すように磁気ヘッド４２が取付けられている。磁気ヘッド４２はヘッドベース４３の先端部に支持されるとともに、固定用ねじ４４によって回転ドラム２６の下面に固定されるようになっている。またヘッドベース４３には接続用突部４５が設けられ、この接続用突部４５が回転ドラム２６内において接点ばね４６と接続され、この接点ばね４６の上端側が上記ロータリトランス３５のロータ３７のコイルに接続されている。
【００１８】
次に上記固定ドラム２５内に組込まれ、回転ドラム２６を回転駆動するモータ５０の構造について図２により説明する。このモータ５０はロータマグネット５１とプリント基板から成るステータ５２とから構成される。ロータマグネット５１はマグネットケース５３を介して上記回転ドラム２６の下面に支持されている。そしてこのマグネットケース５３の外周側には円周方向に沿って小さなコンパートメント５４が形成され、これらのコンパートメント５４に適宜鋼球から成るバランスウエート５５を挿入してバランス調整を行なうようにしている。また回転ドラム２６にはバックヨーク５６が取付けられ、このバックヨーク５６は上記ステータ５２の下面において回転するようになっており、上記マグネット５１が発生する磁界による磁路を形成している。
【００１９】
これに対してモータ５０のステータ５２はコイルを円周方向に沿って形成して成り、このようなコイルを備えるステータ５２の下面に給電用フレキシブル基板５９が接合されるようになっている。給電用フレキシブル基板５９はその円周方向の一部に引出し部６０が形成されている（図３参照）。そして給電用フレキシブル基板５９には導体パターン６１が形成され、このような導体パターン６１によって給電を行ない、プリント基板から成るステータ５２の上面に形成されたコイルに対する通電を行なうようにしている。そして給電用フレキシブル基板５９は図３に示すように、固定ドラム２５の外周壁に形成された開口６４を通して外部に引出され、これによって固定側の電源回路に接続されるようになっている。
【００２０】
このように本実施の形態の回転ヘッドドラム装置は回転ドラム２６を有し、この回転ドラム２６が支軸２７が内輪を兼用する一対のボールベアリング２９、３０によって支軸２７上に回転自在に組立てられている。そして記録再生用の磁気ヘッド４２はヘッドベース４３に取付けられて固定用ねじ４４によって回転ドラム２５の下面に取付けられている。そして回転ドラム２６を駆動するモータ５０のマグネットケース５３およびマグネット５１はねじによって回転ドラム２６に締結されている。そして支軸２７の基端部は固定ドラム２５の挿入孔２８に圧入されるとともに、バックヨーク５６が上記モータ５０のステータ５２を挟んでマグネット５１と対向している。そして上記ステータ５２が固定ドラム２５の座面に接着して取付けられている。
【００２１】
以上のような構成において、図外の固定側の電源回路から給電用フレキシブル基板５９を介してステータ５２のコイルに通電を行なうと、コイルを流れる電流がマグネット５１によって生ずる磁束と鎖交し、これによってマグネット５１が回転力を受ける。従って回転ドラム２６が支軸２７のボールベアリング２９、３０によって回転駆動される。
【００２２】
固定ドラム２５および回転ドラム２６の外周部に磁気テープが斜めに巻付けられるとともに、この磁気テープが図外のキャプスタンとピンチローラとによって一定の速度で走行されると、この磁気テープが上記回転ドラム２６の回転に伴って磁気ヘッド４２と摺接し、いわゆるヘリカルスキャン方式の記録および／または再生が行なわれる。
【００２３】
次にこのような回転ヘッドドラム装置８０を備えるＶＴＲのメカニカルな構成を図５によって説明する。メカシャーシ上には回転ヘッドドラム装置８０と繰出しリール８１と巻取りリール８２とがほぼ正三角形の３つの頂点に対応するように配されている。そして回転ヘッドドラム装置８０の左側には移動部材８３が配され、この移動部材８３上に傾斜ピン８４とテープガイド８５とが搭載されている。同様に回転ヘッドドラム装置８０の右側には移動部材８７が移動自在に配され、この移動部材８７上に傾斜ピン８８とテープガイド８９とが搭載されている。
【００２４】
上記回転ヘドドラム装置８０の左側には開閉レバー９１が配され、この開閉レバー９１にはテープガイドピン９２が植設されている。これに対して回転ヘッドドラム装置８０に対して上記開閉レバー９０とは反対側の位置にキャプスタン９３とピンチローラ９４とが配されている。また回転ヘッドドラム装置８０の左方にはローディングモータ９６が配され、このローディングモータ９６の出力によって左右の移動部材８３、８７を移動させるようにしている。また回転ヘッドドラム装置８０の手前側にはテープエンド検出センサ９７が固定配置されている。また回転ヘッドドラム装置８０の背面側にはシャーシ壁９８が配置されている。
【００２５】
このような構成において、左右一対の繰出しリール８１と巻取りリール８２の上部にテープカセットを装着すると、ローディングモータ８６によって左右の移動部材８３、８７が移動され、これによってテープカセット内の磁気テープが引出されて回転ヘッドドラム装置８０の固定ドラム２５と回転ドラム２６の外周面上に巻付けられる。そしてピンチローラ９４がキャプスタン９３に磁気テープを圧接するために、キャプスタン９３の表面速度と同じ速度で磁気テープが走行される。従って回転ヘッドドラム装置８０の回転ドラム２６を回転駆動することによって、この回転ドラム２６に設けられている磁気ヘッド４２が磁気テープと対接されてヘリカルスキャン方式の記録再生が達成される。
【００２６】
このようなＶＴＲの回転ヘッドドラム装置８０において、上述の磁気ヘッド４２のコイルと外部の記録再生回路との間での記録再生信号の伝達を行なう信号用フレキシブル基板３８は回転ドラム２６の上部に設けられたキャップ３３のガイド６８および押えアーム３９によって押えられるようになっている。すなわちキャップ３３は合成樹脂の射出成形された部品であって、このキャップ３３には図３に示すように，その外周側の一部に半径方向外周側に突出するようにガイド６８が連設されるとともに、このガイド６８のさらに外側に押えアーム３９が連設されている。そしてガイド６８と押えアーム３９との間のスリットの部分に上記フレキシブル基板３８の引出し部６７が挿入されて押えられている。
【００２７】
信号用フレキシブル基板３８の先端部はロータリトランス３５のステータ３６の上面に接合され、このステータ３６のコイルに接続されている。そしてこの信号用フレキシブル基板３８の引出し部６７が回転ドラム２６の上部において外周側に引出され、ガイド６８と押えアーム３９とによって押えられた状態で回転ドラム２６と固定ドラム２５の外周面に沿って図３に示すように下方に案内されている。
【００２８】
従って上述のような構成を図５に示すようなＶＴＲに適用すると、とくに回転ドラム２６の上側のロータリトランス３５から引出された信号用フレキシブル基板３８はガイド６８に対して押えアーム３９で押えられて回転ドラム２６および固定ドラム２５の外表面に沿って下方に押えられるために、回転ヘッドドラム装置８０の外周側に信号用フレキシブル基板３８の引出し部６７が大きく引出され、このような信号用フレキシブル基板３８の引出し部６７がシャーシ壁９８に接触することが防止される。
【００２９】
従って信号用フレキシブル基板３８がシャーシ壁９８に当接してその反力によって回転ヘッドドラム装置８０が側圧を受けることが防止され、このために磁気ヘッド４２によって磁気テープ７１上に形成されるトラックの直線性の変化がなくなって互換性の問題を解消できるようになる。また上述のような信号用フレキシブル基板３８の引出し部６７を押えるガイド６８と押えアーム３９とを設けるようにしたために、この回転ヘッドドラム装置８０をシャーシ壁９８に極めて近接して配置することが可能になり、これによってシャーシ上における配置の自由度が高くなり、あるいはまた高密度の配置が可能になる。従ってこのことから、回転ヘッドドラム装置８０を有する磁気記録再生装置の小型化が可能になる。
【００３０】
またこの回転ヘッドドラム装置のキャップ３３はその外周側に突部６９を備えている。突部６９は図３〜図５に示すように、移動部材８７によって移動されるテープガイド８９の移動経路に臨んで配されている。従ってテープガイド８９が側圧を受けたり磁気テープ７１を介して力が作用しても、上記テープガイド８９の上端が突部６９に当接することによって、このテープガイド８９が回転ドラム２６の外表面や磁気ヘッド４２に当接することがなくなる。従ってこのことから、回転ドラム２６や磁気ヘッド４２を確実に保護することが可能になる。またこのことから、とくにテープガイド８９を有する移動部材８７の移動経路を回転ヘッドドラム装置８０の外周面に近接して設けることが可能になり、これによってＶＴＲのより小型化が可能になる。
【００３１】
また突部６９を有するキャップ３３は図１に示すように上部に開口７０を備え、この開口７０によって内部で発生する振動等に伴う音を外部に放出するようにしている。すなわち回転ヘッドドラム装置の内部に音がこもらない構造としており、これによって振動を低減するとともに、温度上昇を抑えることを可能にしている。
【００３２】
以上本願に含まれる発明を図示の実施の形態によって説明したが、本願発明は上記実施の形態によって限定されることなく、本願に含まれる発明の技術的思想の範囲内で各種の変更が可能である。例えば上記実施の形態は、回転ドラム２６の上部に取付け用ボス３４を介して取付けられているキャップ３３を合成樹脂の射出成形体から構成しているが、必ずしもキャップ３３を合成樹脂の射出成形体から構成する必要はなく、例えばアルミニウム合金等の金属によって製作されたものであってもよい。またキャップ３３は磁気テープ７１の案内面を有するものであってもよく、あるいはまた磁気テープ７１と対接されないキャップであってもよい。またキャップ３３の形状についても各種の変更が可能である。
【００３３】
【発明の効果】
本願の主要な発明は、ヘッドを有する回転ドラムと固定ドラムとを同軸上に配し、回転ドラムと固定ドラムの外周部に巻装されたテープ状記録媒体にヘッドを対接させて記録および／または再生を行なうようにした記録再生装置において、回転ドラムに対して軸線方向において固定ドラムとは反対側に位置するように回転ドラム上にキャップを設け、しかも該キャップの外周側に押えを有するガイドを設け、キャップの内部から引出された配線手段を押えによってガイドに押当てるようにしたものである。
【００３４】
従ってこのような回転ヘッド装置によれば、回転ドラムから引出された配線手段が押えによってガイドに押当てられるようになり、これによって引出された配線手段が側方に大きく突出することが防止され、所望の位置に正しく配置できるようになり、他の部材と不必要に干渉することが防止される。
【００３５】
本願の別の主要な発明は、ヘッドを有する回転ドラムと固定ドラムとを同軸上に配し、回転ドラムと固定ドラムの外周部に巻装されたテープ状記録媒体にヘッドを対接させて記録および／または再生を行なうようにした記録再生装置において、回転ドラムに対して軸線方向において固定ドラムとは反対側に位置するように回転ドラム上にキャップを設け、しかも該キャップの外周側に回転ドラムの外周面よりも外周側に突出する突部を設けたものである。
【００３６】
従ってこのような回転ヘッドドラム装置によれば、回転ドラムの外周面よりも外周側に突出する突部によって他の部材が回転ドラムあるいはこの回転ドラムに設けられているヘッドと干渉することを防止できるようになる。とくに突部がテープ状記録媒体をローディングするテープガイドの移動経路に臨んで形成され、テープガイドが回転ドラムに接触するのを阻止するようにした構成によれば、テープガイドが回転ドラムやヘッドと干渉することを確実に防止できるようになる。
【図面の簡単な説明】
【図１】回転ヘッドドラム装置の平面図である。
【図２】同回転ヘッドドラム装置の要部縦断面図である。
【図３】同回転ヘッドドラム装置の要部斜視図である。
【図４】同回転ヘッドドラム装置の正面図である。
【図５】この回転ヘッドドラム装置を搭載したＶＴＲのシャーシの要部斜視図である。
【符号の説明】
２５‥‥固定ドラム、２６‥‥回転ドラム、２７‥‥支軸，２８‥‥挿入孔、２９、３０‥‥ボールベアリング、３１‥‥予圧ばね、３３‥‥キャップ、３４‥‥取付け用ボス、３５‥‥ロータリトランス、３６‥‥ステータ、３７‥‥ロータ、３８‥‥信号用フレキシブル基板、３９‥‥押えアーム、４２‥‥磁気ヘッド、４３‥‥ヘッドベース、４４‥‥固定用ねじ、４５‥‥接続用突部、４６‥‥接点ばね、５０‥‥モータ、５１‥‥マグネット（ロータ）、５２‥‥ステータ（プリント基板）、５３‥‥マグネットケース、５４‥‥コンパートメント、５５‥‥バランスウエート（鋼球）、５６‥‥バックヨーク、５８‥‥コイル、５９‥‥給電用フレキシブル基板、６０‥‥引出し部、６１‥‥導体パターン、６２‥‥座面、６４‥‥開口、６７‥‥引出し部、６８‥‥ガイド、６９‥‥突部、７０‥‥開口、７１‥‥磁気テープ、８０‥‥回転ヘッドドラム装置、８１‥‥繰出しリール、８２‥‥巻取りリール、８３‥‥移動部材、８４‥‥傾斜ピン、８５‥‥テープガイド、８７‥‥移動部材、８８‥‥傾斜ピン、８９‥‥テープガイド、９１‥‥開閉レバー、９２‥‥テープガイドビン、９３‥‥キャプスタン、９４‥‥ピンチローラ、９６‥‥ローディングモータ、９７‥‥テープエンド検出センサ、９８‥‥シャーシ壁
【図１】
2004079016.tif 000003
【図２】
2004079016.tif 000004
【図３】
2004079016.tif 000005
【図４】
2004079016.tif 000006
【図５】
2004079016.tif 000007